(57)【特許請求の範囲】
【請求項１】
上枠、下枠及び左右の縦枠を有する枠体と、
該枠体内に開閉可能に設けられ、上框、下框及び左右の縦框を有する障子と、を備える建具であって、
前記下枠の左右方向の一端側に設けられ、前記障子を操作する操作部と、
前記下枠に設けられ、基端側が前記操作部に連結されて前記下枠に沿って左右方向にスライド移動する連動バーと、
先端側が前記下框に支持されるとともに、基端側が前記下枠に設けられた支持部及び前記連動バーに回動可能に支持される開閉アームと、を備え、
前記支持部は、
前記連動バーに対して並行に延びる第１ガイド孔と、
前記連動バーに対して傾斜して延びる傾斜孔部と、前記連動バーに対して並行に延びる並行孔部と、が連続して形成された第２ガイド孔と、を有し、
前記開閉アームは、
前記第１ガイド孔に挿通される第１突部と、
前記第２ガイド孔に挿通される第２突部と、を有する建具。
【請求項２】
前記開閉アームに設けられた第１ロックピンと、
前記支持部に設けられ、前記第１ロックピンが係脱可能な第１係合部と、を有し、
前記障子の閉鎖時に、前記第１ロックピンと前記第１係合部が係合する請求項１に記載の建具。
【請求項３】
前記下框に設けられた第２ロックピンと、
前記連動バーに設けられた第２係合部と、を有し、
前記障子の閉鎖時に、前記第２ロックピンと前記第２係合部が係合する請求項１又は２に記載の建具。
【請求項４】
上枠、下枠及び左右の縦枠を有する枠体と、
該枠体内に開閉可能に設けられ、上框、下框及び左右の縦框を有する障子と、を備える建具であって、
前記下枠の左右方向の一端側に設けられ、前記障子を操作する操作部と、
前記下枠に設けられ、基端側が前記操作部に連結されて前記下枠に沿って左右方向にスライド移動する連動バーと、
先端側が前記下框に支持されるとともに、基端側が前記下枠に設けられた支持部及び前記連動バーに回動可能に支持される開閉アームと、
前記開閉アームに設けられた第１ロックピンと、
前記支持部に設けられ、前記第１ロックピンが係脱可能な第１係合部と、を備え、
前記障子の閉鎖時に、前記第１ロックピンと前記第１係合部が係合する建具。
【請求項５】
前記支持部は、前記連動バーに対して並行に延びる第１ガイド孔を有し、
前記開閉アームは、前記第１ガイド孔に挿通される第１突部を有する請求項４に記載の建具。
【請求項６】
前記下框に設けられた第２ロックピンと、
前記連動バーに設けられた第２係合部と、を有し、
前記障子の閉鎖時に、前記第２ロックピンと前記第２係合部が係合する請求項４又は５に記載の建具。
【発明の詳細な説明】
【技術分野】
【０００１】
本発明は、建具に関する。
【背景技術】
【０００２】
従来、建物の開口部に設けられる建具として、辷り出し式に障子を開閉する辷り出し窓が知られている。例えば横辷り出し窓では、リンク機構を介して障子の左右の両縦框が枠体に連結される。これにより、障子の上端が枠体に沿って上下に移動するとともに、障子の下端が屋外側に突出するように障子が回動することで、障子が開放される。即ち、障子の上下両端を開放することができるため、換気性に優れるうえ、障子の清掃が容易であるという利点を有する。
【０００３】
ここで、縦枠の一方に設けられたリンク機構に連結され、操作者が障子の開閉を操作するための操作部を縦枠の一方に設けるとともに、左右に設けられたリンク機構を連結する軸部材を下枠に沿って設けた横辷り出し窓が提案されている（例えば、特許文献１参照）。この横辷り出し窓によれば、縦枠の一方に設けられた操作部を操作することで、操作部による駆動力が両リンク機構に伝達され、障子が開放される。
【先行技術文献】
【特許文献】
【０００４】
【特許文献１】特開２０１１−１１７１６７号公報
【発明の概要】
【発明が解決しようとする課題】
【０００５】
しかしながら、特許文献１の横辷り出し窓では、操作部による直線方向の駆動力が一方の縦枠に設けられたリンク機構に直接伝達されるのに対して、他方の縦枠に設けられたリンク機構には、操作部による駆動力が軸部材の回転方向の駆動力に変換された後に伝達される。そのため、障子の左右の両端における開閉角度にずれが生じ易く、精度良く障子を開閉できなかった。
【０００６】
本発明は上記に鑑みてなされたものであり、その目的は、障子の両端における開閉角度のずれを抑制でき、精度良く障子を開閉できる建具を提供することにある。
【課題を解決するための手段】
【０００７】
（１）上記目的を達成するため本発明は、上枠（例えば、後述の上枠１１）、下枠（例えば、後述の下枠１２）及び左右の縦枠（例えば、後述の縦枠１３，１４）を有する枠体（例えば、後述の枠体１０）と、該枠体内に開閉可能に設けられ、上框（例えば、後述の上框２１）、下框（例えば、後述の下框２２）及び左右の縦框（例えば、後述の縦框２３，２４）を有する障子（例えば、後述の障子２）と、を備える建具（例えば、後述の横辷り出し窓１）であって、前記下枠の左右方向の一端側に設けられ、前記障子を操作する操作部（例えば、後述の操作部５）と、前記下枠に設けられ、基端側が前記操作部に連結されて前記下枠に沿って左右方向にスライド移動する連動バー（例えば、後述の連動バー６）と、先端側が前記下框に支持されるとともに、基端側が前記下枠に設けられた支持部（例えば、後述の支持部７１）及び前記連動バーに回動可能に支持される開閉アーム（例えば、後述の開閉アーム７０）と、を備える建具を提供する。
【０００８】
（２）（１）の発明において、前記支持部は、前記連動バーに対して並行に延びる第１ガイド孔（例えば、後述の第１ガイド孔７１１）を有し、前記開閉アームは、前記第１ガイド孔に挿通される第１突部（例えば、後述の第１突部７０１）を有することが好ましい。
【０００９】
（３）（２）の発明において、前記支持部は、前記連動バーに対して傾斜して延びる傾斜孔部（例えば、後述の傾斜孔部７１２ａ）と、前記連動バーに対して並行に延びる並行孔部と（例えば、後述の並行孔部７１２ｂ）、が連続して形成された第２ガイド孔（例えば、後述の第２ガイド孔７１２）を有し、前記開閉アームは、前記第２ガイド孔に挿通される第２突部（例えば、後述の第２突部７０２）を有することが好ましい。
【００１０】
（４）（１）から（３）の発明において、前記開閉アームに設けられた第１ロックピン（例えば、後述の第１ロックピン８１）と、前記支持部に設けられ、前記第１ロックピンが係脱可能な第１係合部（例えば、後述の第１係合部８２）と、を有し、前記障子の閉鎖時に、前記第１ロックピンと前記第１係合部が係合することが好ましい。
【００１１】
（５）（１）から（４）いずれかの発明において、前記下框に設けられた第２ロックピン（例えば、後述の第２ロックピン９１）と、前記連動バーに設けられた第２係合部（例えば、後述の第２係合部９２）と、を有し、前記障子の閉鎖時に、前記第２ロックピンと前記第２係合部が係合することが好ましい。
【発明の効果】
【００１２】
本発明によれば、障子の両端における開閉角度のずれを抑制でき、精度良く障子を開閉できる建具を提供できる。
【図面の簡単な説明】
【００１３】
【図１】本発明の一実施形態に係る横辷り出し窓を屋外側から見た姿図である。
【図２】上記実施形態に係る横辷り出し窓を屋内側から見た姿図である。
【図３】上記実施形態に係る横辷り出し窓の縦断面図である。
【図４】上記実施形態に係る横辷り出し窓の横断面図である。
【図５】上記実施形態に係る横辷り出し窓の部分断面平面図である。
【図６】上記実施形態に係る横辷り出し窓の全閉状態を示す部分断面平面図である。
【図７】上記実施形態に係る横辷り出し窓の半開状態を示す部分断面平面図である。
【図８】上記実施形態に係る横辷り出し窓の全開状態を示す部分断面平面図である。
【発明を実施するための形態】
【００１４】
以下、本発明の一実施形態について、図面を参照して詳しく説明する。
なお、本明細書において、「見付方向」とは、建物の壁に形成された開口部に納められた窓におけるガラスの面方向を意味し、「見込方向」とは、上記ガラスの厚さ方向（即ち、奥行き方向）を意味する。
【００１５】
図１は、本発明の一実施形態に係る横辷り出し窓１を屋外側から見た姿図である。図２は、本実施形態に係る横辷り出し窓１を屋内側から見た姿図である。本実施形態の横辷り出し窓１は、図示しない建物の壁に形成された開口部に納められる。また、これら図１及び図２に示されるように横辷り出し窓１は、建物の開口部に取り付けられる枠体１０と、枠体１０に開閉可能に納められた障子２と、を備える。
【００１６】
枠体１０は、上枠１１と、下枠１２と、左右の縦枠１３，１４と、により矩形に枠組みされて形成される。本実施形態の横辷り出し窓１は、横幅方向（左右方向）の寸法が大きく設定された横長の窓であり、操作者の手が届く範囲内で高所に設けられた開口部に納められる。
【００１７】
図３は、本実施形態に係る横辷り出し窓１の縦断面図である。図３は、後述する操作部が設けられた左右方向の一端側（右側）を他端側（左側）から見た縦断面図である。横辷り出し窓１は、アルミ等の金属と樹脂とからなる複合型の窓であり、断熱性に優れる。即ち、枠体１０及び障子２は、それぞれ、屋外側がアルミ等の金属で形成され、屋内側が樹脂で形成される。
【００１８】
障子２は、上框２１と、下框２２と、左右の縦框２３，２４と、により矩形に框組みされて形成された框体２０と、該框体２０内に嵌め込まれたガラス２００と、を備える。
【００１９】
ガラス２００は、屋内側の板ガラス２０１と、屋外側の板ガラス２０２と、これら２枚の板ガラスで挟持されたスペーサ２０３と、を備える複層ガラスである。この複層ガラスで構成されたガラス２００は、優れた断熱性を有する。
【００２０】
上枠１１は、屋外側に設けられたアルミ等の金属からなる金属上枠１１１と、その屋内側に設けられ且つ塩化ビニル樹脂等の樹脂からなる樹脂上枠１１２と、を含んで構成される。
金属上枠１１１は、屋外側の外側金属上枠１１１ａと、屋内側の内側金属上枠１１１ｂと、を有する。また、金属上枠１１１は、これら外側金属上枠１１１ａと内側金属上枠１１１ｂとを連結する樹脂製のブリッジ材１１１ｃを有する。
【００２１】
樹脂上枠１１２は、複数の断面矩形状の空気室１１３ａを形成する格子状部１１２ａと、格子状部１１２ａの上側に突出する複数の突出部１１２ｂと、格子状部１１２ａの下側に位置して溝１１２ｃを形成する凹状部１１２ｄと、を有する。本実施形態では、溝１１２ｃには樹脂部材１１４が嵌合されているが、網戸を設ける場合にはこの樹脂部材１１４の代わりに網戸の上框が溝１１２ｃに係合される。
【００２２】
樹脂上枠１１２は、凹状部１１２ｄの屋外側の下端に設けられたパッキン１１２ｅをさらに有する。このパッキン１１２ｅが後述する樹脂上框２１２に当接することで、樹脂上枠１１２の屋外側には、空気室１１３ｂが形成される。
また、金属上枠１１１と樹脂上枠１１２との間には、複数の突出部１１２ｂによって仕切られる複数の空気室１１３ｃが形成される。
【００２３】
上框２１は、屋外側に配置されたアルミ等の金属からなる金属上框２１１と、その屋内側に設けられ且つ塩化ビニル樹脂等の樹脂からなる樹脂上框２１２と、を含んで構成される。
金属上框２１１は、屋外側から立設する立設部２１１ａを有し、その先端の屋内側が金属上枠１１１の屋外側に設けられたパッキン１１１ｄに当接する。
樹脂上框２１２は、複数の断面矩形状の空気室２１３ａを形成する格子状部２１２ａを有する。格子状部２１２ａは、屋内側において上述のパッキン１１２ｅに当接する。
【００２４】
また、上框２１は、下向きに開口して形成される溝２１ａを有する。溝２１ａは、ガスケット１０ａを介してガラス２００の上端部を挟持する。
【００２５】
下枠１２及び下框２２は、それぞれ上枠１１及び上框２１に類似した構成を有するため、対応する構成については同様の規則性を持って符号を付し、その説明を省略する。従って以下では、下枠１２及び下框２２の構成のうち、上枠１１及び上框２１と相違する構成についてのみ説明する。
【００２６】
下枠１２の屋内側における左右方向の一端側には、障子２を開閉するために操作者が操作する操作部５が設けられる。この操作部５は、後述する障子２の開閉機構４の一部を構成する。
図３に示されるように、操作部５は、ハンドル式の操作部である。操作部５は、ハンドル５１と、図示しないボールねじ機構と、を含んで構成される。操作部５は、操作者がハンドル５１を回転させることで生じた回転方向の駆動力を、ボールねじ機構により直線方向の駆動力に変換する。変換された直線方向の駆動力は、後述する連動バーに伝達される。
【００２７】
なお、図３中に示される開閉アーム７０、支持部７１、取り付け部材７２、第１突部７０１、第２突部７０２、第３突部７０３、第３係合部７０６、連動バー６及びレール６１については、後段で詳述する。
【００２８】
図４は、本実施形態に係る横辷り出し窓１の横断面図である。図４は、横辷り出し窓１を上側から見た横断面図である。
縦枠１３と縦枠１４は同一の構成を有し、縦框２３と縦框２４は同一の構成を有する。従って、以下では縦枠１３と縦框２３の構成についてのみ説明する。
【００２９】
縦枠１３は、屋外側に配置されたアルミ等の金属からなる金属縦枠１３１と、その屋内側に配置され且つ塩化ビニル樹脂等の樹脂からなる樹脂縦枠１３２と、を含んで構成される。
【００３０】
樹脂縦枠１３２は、複数の断面矩形状の空気室１３３ａを形成する格子状部１３２ａと、格子状部１３２ａの外側に突出する複数の突出部１３２ｂと、格子状部１３２ａの内側（障子側）に位置して溝１３２ｃを形成する凹状部１３２ｄと、を有する。本実施形態では、溝１３２ｃには樹脂部材１３４が嵌合されているが、網戸を設ける場合にはこの樹脂部材１３４の代わりに網戸の縦框が溝１３２ｃに係合される。
【００３１】
樹脂縦枠１３２は、凹状部１３２ｄの屋外側に設けられたパッキン１３２ｆと、凹状部１３２ｄの内側（障子側）の先端に配置されるパッキン１３２ｇをさらに有する。これにより、縦枠１３と縦框２３との間に空気室１３３ｂが形成される。
また、金属縦枠１３１と樹脂縦枠１３２との間には、複数の突出部１３２ｂによって仕切られる複数の空気室１３３ｃが形成される。
【００３２】
縦框２３は、屋外側に配置されたアルミ等の金属からなる金属縦框２３１と、その屋内側に配置され且つ塩化ビニル樹脂等の合成樹脂からなる樹脂縦框２３２と、を含んで構成される。
金属縦框２３１は、屋外側から内側（障子側）に延出する横設部２３１ａを有する。金属縦框２３１は、横設部２３１ａの先端に配置され且つ金属縦枠１３１に当接するパッキン２３１ｂを有する。
樹脂縦框２３２には、断面矩形状の空気室２３３ａが形成される。空気室２３３ａの屋内側部分には、上述のパッキン１３２ｆ，１３２ｇが当接する。
【００３３】
縦框２３は、内側（障子側）に開口して形成される溝２３ａを有する。溝２３ａは、ガスケット１０ａを介してガラス２００の側端部を挟持する。
【００３４】
縦枠１３と縦框２３の間には、両者を連結するリンク機構３が設けられる。図４に示すように、リンク機構３は、ステー３１と、一対のアーム３２，３３と、を含んで構成される。
【００３５】
ステー３１は、上下方向に延びて設けられ、縦枠１３を構成する金属縦枠１３１の内側（障子側）の見込み面に設けられた取り付け部１３１ａに取り付け固定される。
一対のアーム３２，３３は、それぞれ、一端がステー３１に回動可能に支持され、他端が縦框２３に回動可能に支持される。一対のアーム３２，３３は、ステー３１の長さに対応して、上下方向に離隔して配置されている。
このリンク機構３により、後述する開閉機構４が駆動すると、一対のアーム３２，３３が連動して縦枠１３及び縦框２３のそれぞれに対して回動することで、障子２がスムーズ且つ確実に開閉するようになっている。
【００３６】
以上説明したように、本実施形態の横辷り出し窓１では、枠体１０、障子２及びこれらの間に複数の空気室が形成されている。即ち、本実施形態の横辷り出し窓１は、複数の空気室が形成された多層ホロー構造を有し、これにより、断熱性が高められている。
【００３７】
次に、本実施形態の横辷り出し窓１の障子２を開閉する開閉機構４について詳しく説明する。
図５は、本実施形態に係る横辷り出し窓１の部分断面平面図である。図５に示すように、本実施形態の横辷り出し窓１は、障子２を開閉する開閉機構４を備える。
この開閉機構４は、上述の操作部５と、連動バー６と、開閉アーム機構７と、第１ロック機構８と、第２ロック機構９と、を含んで構成される。
【００３８】
操作部５の構成については、上述した通りである。なお本実施形態では、操作者がハンドル５１を時計回りに回転させると、その回転方向の駆動力が左右方向の他端側（左側）向かう駆動力に変換される。また、操作者がハンドル５１を反時計回りに回転させると、その回転方向の駆動力が左右方向の一端側（右側）向かう駆動力に変換される。
【００３９】
連動バー６は、下枠１２の屋内側の上面に、左右方向に延設される。より詳しくは、連動バー６は、下枠１２の上面に沿って左右方向に延設されたレール６１に係合するように設置される。また、連動バー６の基端側（右側）は、上述の操作部５のボールねじ機構に連結される。これにより、連動バー６は、操作部５から伝達される左右方向の駆動力によって、下枠１２に沿って左右方向にスライド移動可能となっている。
【００４０】
本実施形態では、開閉アーム機構７は、図５に示されるように下枠１２及び下框２２の左右方向の略中央部に設けられている。この開閉アーム機構７は、開閉アーム７０と、支持部７１と、を含んで構成される。本実施形態の開閉アーム機構７は、開閉アーム７０を１つ備える。
【００４１】
開閉アーム７０は、長尺状の板状部材で形成される。図５に示されるように、その基端側（図５の右側）から中央部にかけては幅が略一定であり、中央部から先端側（図５の左側）に向かうに従って屋内側の側面が障子２側に傾斜して幅狭となっている。そのため、開閉アーム７０の先端側には屈曲形成された段差７０４が形成されており、これにより開閉アーム７０の強度が高められている。
【００４２】
また、開閉アーム７０は、その先端側が下框２２の左右方向の略中央部の下端に、回動可能に支持される。より詳しくは、下框２２の左右方向の略中央部の下端には、連動バー６に並行して左右方向に延びる係合溝部７０５を有する第３係合部７０６が設けられており、開閉アーム７０の先端側には、この係合溝部７０５に係合されて案内され且つ回動軸として機能する第３突部７０３が設けられている。これにより、開閉アーム７０は連動バー６の移動に連動して左右方向にスライド移動可能であるとともに、下框２２に対して回動可能となっている。
【００４３】
また、開閉アーム７０は、その基端側（図５の右側）が取り付け部材７２を介して連動バー６及び支持部７１に回動可能に支持される。より詳しくは、連動バー６の左右方向の略中央部の下端には、板状の取り付け部材７２が取り付け固定されている。開閉アーム７０は、該開閉アーム７０を貫通して上方及び下方に突出し、後述の第１ガイド孔７１１に挿通されるとともに取り付け部材７２の挿通孔に挿通され、回動軸として機能する第１突部７０１によって、連動バー６に回動可能に支持されるとともに、後述する支持部７１にも回動可能に支持される。
【００４４】
支持部７１は、下枠１２の左右方向略中央部の上面に、左右方向に延びて取り付け固定される。支持部７１は、長尺の板状部材の長手方向両端を同一方向（下方）に屈曲して形成された略Ｃ字状の支持台である。支持部７１の上面には、連動バー６に対して並行（左右方向）に延びる第１ガイド孔７１１が形成されている。この第１ガイド孔７１１には、上述の回動軸として機能する第１突部７０１が挿通されて係合する。
【００４５】
また、支持部７１の上面には、連動バー６に対して傾斜して延びる傾斜孔部７１２ａと、連動バー６に対して並行に延びる並行孔部７１２ｂと、が連続して形成された第２ガイド孔７１２が設けられている。傾斜孔部７１２ａは、一端側（右側）から他端側（左側）に向かうに従い、障子２側に傾斜して延びている。並行孔部７１２ｂは、第１ガイド孔７１１よりも左右方向の他端側（左側）に設けられている。
【００４６】
第２ガイド孔７１２には、開閉アーム７０から下方に突出し回動軸として機能する第２突部７０２が挿通されて係合する。これにより、第２突部７０２が第２ガイド孔７１２に案内され、連動バー６の移動に連動して回動軸としての第１突部７０１及び第３突部７０３回りに開閉アーム７０が回動可能となっている。
【００４７】
また、障子２を全閉状態から開放状態に操作する際には、第２ガイド孔７１２を構成する並行孔部７１２ｂに第２突部７０２が案内される。同時に、第１突部７０１が第１ガイド孔７１１に案内されるとともに、第３突部７０３が係合溝部７０５に案内されることで、開閉アーム７７０が左右方向に移動する。これにより、障子２の開放が遅延され、後述の第１ロック機構８及び第２ロック機構９の各ロックが解除されるまでの時間が確保されている。
さらには、第２ガイド孔７１２を構成する傾斜孔部７１２ａに第２突部７０２が案内されることで、開閉アーム７０が屋外側に導かれる。これにより、上述の各突部周りに回動するようになっている。
【００４８】
また、支持部７１は、その他端側（左側）の幅（見込み方向の寸法）が一端側（右側）の幅よりも小さく形成されている。加えて、支持部７１には、第２ガイド孔７１２よりも左右方向の他端側において、他端側（左側）に向かうに従って屋内側の側面が障子２側に傾斜する傾斜部７１３が形成されている。後段で詳述するように、傾斜部７１３が形成されるとともに幅狭に形成された支持部７１の先端側は、第１ロック機構８の第１係合部８２を構成する。
【００４９】
第１ロック機構８は、開閉アーム機構７に設けられる。第１ロック機構８は、第１ロックピン８１と、第１係合部８２と、を含んで構成される。この第１ロック機構８は、障子２の閉鎖時に、第１ロックピン８１と第１係合部８２が係合することにより、障子２の開閉を規制する。
【００５０】
第１ロックピン８１は、開閉アーム７０の先端側に形成された傾斜部７１３近傍の下端から、下方に突出して設けられる。
第１係合部８２は、上述したように、傾斜部７１３が形成されるとともに幅狭に形成された支持部７１の先端側によって構成される。ここで、第１ロックピン８１は、障子２の閉鎖時において、支持部７１の先端側（傾斜部７１３）よりも屋内側に配置される。これにより、連動バー６及び開閉アーム７０が左右方向に移動することで第１ロックピン８１が第１係合部８２と係脱可能となっている。
【００５１】
第１ロック機構８は、連動バー６及び開閉アーム７０が左右方向の一端側（右側）に移動すると、第１ロックピン８１が第１係合部８２に係合する。
また、連動バー６及び開閉アーム７０が左右方向の他端側（左側）に移動すると、第１ロックピン８１が第１係合部８２から離脱する。
このように第１ロック機構８は、操作部５に連結された連動バー６の動作により、障子２の開きを規制可能となっている。
【００５２】
第２ロック機構９は、下枠１２、下框２２及び連動バー６に設けられる。図５に示すように、第２ロック機構９は、第２ロックピン９１と、第２係合部９２と、を含んで構成される。この第２ロック機構９は、障子２の閉鎖時に、第２ロックピン９１と第２係合部９２が係合することにより、障子２の開閉を規制する。
【００５３】
第２ロックピン９１は、下框２２の左右方向の他端側（左側）の下端から、下方に突出して設けられる。
第２係合部９２は、連動バー延出部９２１と、下枠延出部９２２とにより形成される。連動バー延出部９２１は、連動バー６の先端側に設けられ、障子２側に延出して基端側に屈曲する略Ｌ字状の延出部である。また下枠延出部９２２は、下枠１２の上面に取り付け固定された障子２側に延出する延出部である。これら連動バー延出部９２１と下枠延出部９２２とが互いに近接することで、第２ロックピン９１が係合可能な第２係合部９２が形成される。
【００５４】
第２ロック機構９は、連動バー６が左右方向の一端側（右側）に移動すると、連動バー延出部９２１と下枠延出部９２２とが互いに近接することで、第２係合部９２が形成される。また第２係合部９２が形成されると同時に、この第２係合部９２に第２ロックピン９１が係合する。
また、連動バー６が左右方向の他端側（左側）に移動すると、連動バー延出部９２１と下枠延出部９２２とが互いに離隔することで、第２ロックピン９１が第２係合部９２から離脱する。
このように第２ロック機構９は、操作部５に連結された連動バー６の動作により、障子２の開きを規制可能となっている。
【００５５】
本実施形態の横辷り出し窓１の動作について、図６〜図８を参照して説明する。
ここで、図６は、本実施形態に係る横辷り出し窓１の全閉状態を示す部分断面平面図である。図７は、本実施形態に係る横辷り出し窓１の半開状態を示す部分断面平面図である。図８は、本実施形態に係る横辷り出し窓１の全開状態を示す部分断面平面図である。
【００５６】
先ず、図６に示すように、障子２が閉鎖された状態において、操作者が操作部５のハンドル５１を時計回りに回転させる。すると、操作部５内に設けられたボールねじ機構によって、その回転方向の駆動力が左右方向の他端側（左側）に向かう直線方向の駆動力に変換される。
【００５７】
次いで、基端側が操作部５のボールねじ機構に連結された連動バー６が、左右方向の他端側（左側）にスライド移動する。ここで、連動バー６の初動においては、第２突部７０２が並行孔部７１２ｂに案内されることで、それと同時に、第１突部７０１が第１ガイド孔７１１に案内され、第３突部７０３が係合溝部７０５に案内される。これにより、開閉アーム７０が、左右方向の他端側（左側）にスライド移動する。即ち、連動バー６の初動においては、開閉アーム７０は回動せず、障子２は閉じたままである。
【００５８】
またこのとき、図７に示すように、連動バー６の初動において開閉アーム７０が左右方向の他端側（左側）にスライド移動することにより、第１ロックピン８１が第１係合部８２から離脱し、第１ロック機構８が解除される。また、第２ロックピン９１が第２係合部９２から離脱し、第２ロック機構９が解除される。
【００５９】
次いで、図８に示すように、さらに連動バー６が左右方向の他端側（左側）にスライド移動すると、第２突部７０２が傾斜孔部７１２ａに案内されることで、開閉アーム７０が屋外側に導かれる。これにより、開閉アーム７０が、各突部を回動軸として、下枠１２、下框２２及び連動バー６に対して回動する。以上により、障子２が開放される。
【００６０】
また、障子２が開放された状態において、操作者が操作部５のハンドル５１を反時計回りに回転させる。すると、操作部５内に設けられたボールねじ機構によって、その回転方向の駆動力が左右方向の一端側（右側）に向かう直線方向の駆動力に変換される。
【００６１】
次いで、基端側が操作部５のボールねじ機構に連結された連動バー６が、左右方向の一端側（右側）にスライド移動する。すると、第２突部７０２が傾斜孔部７１２ａに案内されることで、開閉アーム７０が各突部を回動軸として、障子２の閉じ側に、下枠１２、下框２２及び連動バー６に対して回動する。これにより、障子２が閉鎖される。
【００６２】
このとき、連動バー６の終動において、第２突部７０２が並行孔部７１２ｂに案内されることで、それと同時に、第１突部７０１が第１ガイド孔７１１に案内され、第３突部７０３が係合溝部７０５に案内される。これにより、開閉アーム７０は左右方向の一端側（右側）にスライド移動することで、第１ロックピン８１が第１係合部８２に係合し、第１ロック機構８が作動される。また、第２ロックピン９１が第２係合部９２に係合し、第２ロック機構９が作動する。
【００６３】
本実施形態によれば、以下の効果が奏される。
本実施形態では、下枠１２の左右方向の一端側（例えば右側）に、障子２を操作する操作部５を設けた。また、下枠１２に、基端側が操作部５に連結されて下枠１２に沿って左右方向にスライド移動する連動バー６を設けた。さらには、先端側が下框２２に支持されるとともに、基端側が下枠１２に設けられた支持部７１と連動バー６に回動可能に支持される開閉アーム７０を設けた。
これにより、操作者が操作部５を操作すると、開閉アーム７０が連動バー６の移動に連動して下框２２、下枠１２及び連動バー６に対して回動することで、障子２を開閉することができる。このとき、開閉アーム７０が下框２２及び下枠１２に設けられており、連動バー６のスライド移動による駆動力が開閉アーム７０に直接伝達されるため、例えば両縦枠に開閉アームが設けられた従来の横辷り又は横開き窓と比べて、障子２の両端における開閉角度のずれを抑制でき、精度良く障子２を開閉できる。また、従来は小径のシャフトガイド等の軸部材の回動により開閉アームを回動させて障子を開閉させていたのに対して、移動ストロークをより正確に制御できる連動バー６のスライド移動により障子２を開閉させるため、障子２の両端における開閉角度のずれを従来よりも抑制でき、精度良く障子２を開閉できる。
【００６４】
また本実施形態では、支持部７１に、連動バー６に対して並行に延びる第１ガイド孔７１１を設けた。また、開閉アーム７０に、第１ガイド孔７１１に挿通される第１突部７０１を設けた。また本実施形態では、支持部７１に、連動バー６に対して傾斜して延びる傾斜孔部７１２ａと、連動バーに対して並行に延びる並行孔部７１２ｂと、が連続して形成された第２ガイド孔７１２を設けた。さらには、開閉アーム７０に、第２ガイド孔７１２に挿通される第２突部７０２を設けた。
これにより、連動バー６のスライド移動に連動して開閉アーム７０を左右方向に移動可能にできるとともに、開閉アーム７０を確実に回動させることができる。
【００６５】
また本実施形態では、開閉アーム７０に第１ロック機構８を設けた。具体的には、開閉アーム７０から下方に突出する第１ロックピン８１を設けた。また、支持部７１の第２ガイド孔７１２よりも左右方向の他端側に設けられ、連動バー６及び開閉アーム７０が左右方向に移動することで第１ロックピン８１が係脱可能な第１係合部８２を設けた。
これにより、連動バー６及び開閉アーム７０を左右方向の一端側に移動させると第１ロックピン８１が第１係合部８２に係合し、連動バー６及び開閉アーム７０を左右方向の他端側に移動させると第１ロックピン８１が第１係合部８２から離脱することで、障子２の開きを規制できる。
即ち、左右方向にスライド移動する連動バー６によって、開閉アーム０の動作とロックの施解錠を制御できるうえ、連動バー６の初動において開閉アーム７０はスライド移動するため、窓を開く際の開閉アーム７０の初動をロックの開錠よりも遅くできる。
また、従来、小径のシャフトガイド等の軸部材の回動によりロックの施解錠をしていたため、製造誤差及び施工誤差による角度ずれの影響を受け易かったところ、左右方向に移動する連動バー６でロックを施解錠するため、製造・施工誤差の影響を受け難い。
さらには、左右方向の略中央にロックが設けられるため、障子２が閉鎖されている状態での耐風圧に優れる。
【００６６】
また本実施形態では、左右方向の他端側に第２ロック機構９を設けた。具体的には、下框２２の左右方向の他端側の下端から下方に突出する第２ロックピン９１を設けた。また、連動バー６の先端側に障子２側に延出する連動バー延出部９２１と、下枠１２の左右方向の他端側に障子２側に延出する下枠延出部９２２と、を設け、これらが互いに近接することで第２ロックピン９１が係合可能な第２係合部９２を形成した。
これにより、連動バー６を左右方向の一端側に移動させると連動バー延出部９２１と下枠延出部９２２とが互いに近接して形成される第２係合部９２に第２ロックピン９１が係合し、連動バー６を左右方向の他端側に移動させると連動バー延出部９２１と下枠延出部９２２とが互いに離隔して第２ロックピン９１が第２係合部９２から離脱することで、障子２の開きをより確実に規制できる。
【００６７】
なお、本発明は上記実施形態に限定されるものではなく、本発明の目的を達成できる範囲での変形、改良等は本発明に含まれる。
【００６８】
上記実施形態では、本発明を横辷り出し窓に適用したが、これに限定されない。例えば、本発明を縦辷り出し窓に適用してもよく、縦開き窓や横開き窓に適用してもよい。
【００６９】
上記実施形態では、開閉アームを左右方向の略中央に１つ設けたが、これに限定されない。例えば、開閉アームを２つ設けてもよい。
【００７０】
上記実施形態では、操作部を左右方向の右側に設けたが、これに限定されない。例えば、操作部を左側に設けてもよい。
【００７１】
上記実施形態では、操作部をハンドル式の操作部としたが、これに限定されない。例えば建具が高所に配置される場合には、チェーン式の操作部としてもよい。この場合には、下枠の左右方向の一端側に設けられた操作部に、下方に垂下するチェーンが滑車を介して連結される。操作者は、かかるチェーンを下方に引くことで操作部を駆動させ、障子の開閉及びロックが可能となる。
【００７２】
上記実施形態では、操作部を手動式としたが、これに限定されない。例えば、操作部に電動ユニットを取り付け、電動式としてもよい。
【符号の説明】
【００７３】
１…横辷り出し窓（建具）
２…障子
３…リンク機構
４…開閉機構
５…操作部
６…連動バー
７…開閉アーム機構
８…第１ロック機構
９…第２ロック機構
１０…枠体
１１…上枠
１２…下枠
１３，１４…縦枠
２１…上框
２２…下框
２３，２４…縦框
７０…開閉アーム
７１…支持部
８１…第１ロックピン
８２…第１係合部
９１…第２ロックピン
９２…第２係合部
７０１…第１突部
７０２…第２突部
７１１…第１ガイド孔
７１２…第２ガイド孔
７１２ａ…傾斜孔部
７１２ｂ…並行孔部
９２１…連動バー延出部
９２２…下枠延出部
【図１】
0006504961.tif 000002
【図２】
0006504961.tif 000003
【図３】
0006504961.tif 000004
【図４】
0006504961.tif 000005
【図５】
0006504961.tif 000006
【図６】
0006504961.tif 000007
【図７】
0006504961.tif 000008
【図８】
0006504961.tif 000009